(57)【要約】【課題】キーワード検索によって見つかったコンテンツのカテゴリーをユーザが閲覧登録しているか否かの情報とともに容易に把握できるようにする。【解決手段】ユーザ登録が承認されたユーザ端末から検索キーワードが入力されると、その検索キーワードに該当するコンテンツを検出する。検出された１乃至複数のコンテンツが属するカテゴリーをコンテンツデータベースからコンテンツ毎に取得する。会員データベースに記憶された情報に基づき検索キーワードが入力されたユーザ端末でユーザ登録をした会員が得られたカテゴリーを閲覧登録済か否かを判断する。各コンテンツの情報を当該コンテンツが属するカテゴリー及びそのカテゴリーについて判断された閲覧登録の結果を示す情報とともに表示した検索結果ページを検索キーワードが入力されたユーザ端末に提供する。【選択図】      図８
2006286014.tif 000002
【特許請求の範囲】
【請求項１】
ユーザ登録が承認されたユーザ端末に各種コンテンツへの入口であるポータルサイトを提供するポータルサイト提供装置において、
前記ポータルサイトから閲覧可能なコンテンツ毎にそのコンテンツが属するカテゴリーを記憶するコンテンツ情報記憶手段と、
会員毎に前記ポータルサイトで閲覧可能な各種コンテンツの各カテゴリーの中からその会員が閲覧登録をしたカテゴリーを記憶する会員情報記憶手段と、
前記ユーザ登録が承認されたユーザ端末から検索キーワードが入力されると、その検索キーワードに該当するコンテンツを検出するコンテンツ検索手段と、
このコンテンツ検索手段により検出された１乃至複数のコンテンツが属するカテゴリーを前記コンテンツ情報記憶手段からコンテンツ毎に取得するカテゴリー取得手段と、
前記会員情報記憶手段により記憶された情報に基づき前記検索キーワードが入力されたユーザ端末でユーザ登録をした会員が前記カテゴリー取得手段により得られたカテゴリーを閲覧登録済か否かを判断する閲覧登録有無判断手段と、
前記コンテンツ検索手段により検出された各コンテンツの情報を前記カテゴリー取得手段により得られた当該コンテンツが属するカテゴリー及びそのカテゴリーについて前記閲覧登録有無判断手段により判断された結果を示す情報とともに表示した検索結果ページを前記検索キーワードが入力されたユーザ端末に提供する検索結果提供手段とを具備したことを特徴とするポータルサイト提供装置。
【請求項２】
会員毎にその会員の属性を記憶する会員属性記憶手段と、
前記検索キーワードが入力されたユーザ端末でユーザ登録をした会員の属性を前記会員属性記憶手段から取得する会員属性取得手段とを設け、
前記コンテンツ検索手段は、前記ポータルサイトにアクセスがあったユーザ端末から検索キーワードが入力されると、前記会員属性取得手段によりそのユーザ端末でログインした会員の属性を取得し、その属性に関連するコンテンツでかつ前記検索キーワードに該当するコンテンツを検出する手段であることを特徴とする請求項１記載のポータルサイト提供装置。
【請求項３】
ユーザ登録が承認されたユーザ端末に各種コンテンツへの入口であるポータルサイトを提供するポータルサイト提供装置としてコンピュータを機能させるプログラムであって、
前記コンピュータを、
前記ユーザ登録が承認されたユーザ端末から検索キーワードが入力されると、その検索キーワードに該当するコンテンツを検出するコンテンツ検索手段と、
このコンテンツ検索手段により検出された１乃至複数のコンテンツが属するカテゴリーをコンテンツ毎に取得するカテゴリー取得手段と、
前記検索キーワードが入力されたユーザ端末でユーザ登録をした会員が前記カテゴリー取得手段により得られたカテゴリーを閲覧登録済か否かを判断する閲覧登録有無判断手段と、
前記コンテンツ検索手段により検出された各コンテンツの情報を前記カテゴリー取得手段により得られた当該コンテンツが属するカテゴリー及びそのカテゴリーについて前記閲覧登録有無判断手段により判断された結果を示す情報とともに表示した検索結果ページを前記検索キーワードが入力されたユーザ端末に提供する検索結果提供手段として機能させることを特徴とするプログラム。
【請求項４】
前記コンピュータを、
前記検索キーワードが入力されたユーザ端末でユーザ登録をした会員の属性を取得する会員属性取得手段としてさらに機能させ、
前記コンテンツ検索手段は、前記ポータルサイトにアクセスがあったユーザ端末から検索キーワードが入力されると、前記会員属性取得手段によりそのユーザ端末でログインした会員の属性を取得し、その属性に関連するコンテンツでかつ前記検索キーワードに該当するコンテンツを検出する手段であることを特徴とする請求項３記載のプログラム。
【発明の詳細な説明】
【技術分野】
【０００１】
本発明は、インターネット等を利用して各種コンテンツを閲覧可能なポータルサイトを提供するポータルサイト提供装置及びその処理プログラムに関する。
【背景技術】
【０００２】
インターネット上で公開されている各種コンテンツ（Ｗｅｂページ）の入口であるポータルサイトには、一般に、各種コンテンツのなかからキーワードを使って所望するコンテンツのＵＲＬ（Uniform Resource Locator）を検索できるキーワード検索機能が備えられている。しかしながら、従来のキーワード検索機能はＵＲＬの検索範囲が広く、ユーザのＵＲＬ絞込みに時間がかかるという課題があった。そこで従来、この課題を解決するために、ユーザ個々の嗜好に合ったコンテンツに絞り込んでＵＲＬを検索できるキーワード検索機能を備えたポータルサイトの提供装置が提案されていた（例えば、特許文献１参照）。
【特許文献１】特開２００２−００７４５４号公報
【発明の開示】
【発明が解決しようとする課題】
【０００３】
ところで、ポータルサイトの中には、特定の業態に関連するコンテンツを集めてカテゴリー別にまとめ、そのカテゴリーのメニュー画面をＷｅｂページとしてユーザに提供するようにしたポータルサイトが実現されている。このポータルサイトにアクセスすれば、その業態に関連するコンテンツが何でも揃うことになる。通常、この種のポータルサイトはユーザ登録が必要である。また、ユーザ登録をしたユーザに対してさらにカテゴリー別に閲覧登録を要求するポータルサイトもある。
【０００４】
カテゴリー別に閲覧登録が必要なポータルサイトにおいても、従来のキーワード検索機能を用いることができる。しかし、キーワード検索によって見つかるのはコンテンツのＵＲＬだけであるため、そのコンテンツが分類されているカテゴリーをユーザは知り得なかった。このため、検索されたＵＲＬのコンテンツにアクセスしても、ユーザがそのコンテンツのカテゴリーを閲覧登録していなかった場合にはアクセスが拒否されてしまい、この場合、ユーザは、どのカテゴリーに閲覧登録をすればよいのかは分からないという不具合があった。
【０００５】
本発明はこのような事情に基づいてなされたもので、その目的とするところは、キーワード検索によって見つかったコンテンツのカテゴリーをユーザが閲覧登録しているか否かの情報とともに容易に把握できるポータルサイト提供装置及びコンピュータを当該ポータルサイト提供装置として機能させるためのプログラムを提供しようとするものである。
【課題を解決するための手段】
【０００６】
本発明は、ユーザ登録が承認されたユーザ端末に各種コンテンツへの入口であるポータルサイトを提供するポータルサイト提供装置において、ポータルサイトから閲覧可能なコンテンツ毎にそのコンテンツが属するカテゴリーを記憶するコンテンツ情報記憶手段と、会員毎にポータルサイトで閲覧可能な各種コンテンツの各カテゴリーの中からその会員が閲覧登録をしたカテゴリーを記憶する会員情報記憶手段と、ユーザ登録が承認されたユーザ端末から検索キーワードが入力されると、その検索キーワードに該当するコンテンツを検出するコンテンツ検索手段と、このコンテンツ検索手段により検出された１乃至複数のコンテンツが属するカテゴリーをコンテンツ情報記憶手段からコンテンツ毎に取得するカテゴリー取得手段と、会員情報記憶手段により記憶された情報に基づき検索キーワードが入力されたユーザ端末でユーザ登録をした会員がカテゴリー取得手段により得られたカテゴリーを閲覧登録済か否かを判断する閲覧登録有無判断手段と、コンテンツ検索手段により検出された各コンテンツの情報をカテゴリー取得手段により得られた当該コンテンツが属するカテゴリー及びそのカテゴリーについて閲覧登録有無判断手段により判断された結果を示す情報とともに表示した検索結果ページを検索キーワードが入力されたユーザ端末に提供する検索結果提供手段とを備えたものである。
【０００７】
また本発明は、ユーザ登録が承認されたユーザ端末に各種コンテンツへの入口であるポータルサイトを提供するポータルサイト提供装置としてコンピュータを機能させるプログラムであって、コンピュータを、ユーザ登録が承認されたユーザ端末から検索キーワードが入力されると、その検索キーワードに該当するコンテンツを検出するコンテンツ検索手段と、このコンテンツ検索手段により検出された１乃至複数のコンテンツが属するカテゴリーをコンテンツ毎に取得するカテゴリー取得手段と、検索キーワードが入力されたユーザ端末でユーザ登録をした会員がカテゴリー取得手段により得られたカテゴリーを閲覧登録済か否かを判断する閲覧登録有無判断手段と、コンテンツ検索手段により検出された各コンテンツの情報をカテゴリー取得手段により得られた当該コンテンツが属するカテゴリー及びそのカテゴリーについて閲覧登録有無判断手段により判断された結果を示す情報とともに表示した検索結果ページを検索キーワードが入力されたユーザ端末に提供する検索結果提供手段として機能させるものである。
【発明の効果】
【０００８】
かかる手段を講じた本発明によれば、キーワード検索によって見つかったコンテンツのカテゴリーをユーザが閲覧登録しているか否かの情報とともに容易に把握できるポータルサイト提供装置及びコンピュータを当該ポータルサイト提供装置として機能させるためのプログラムを提供できる。
【発明を実施するための最良の形態】
【０００９】
以下、本発明の実施の形態を図面を用いて説明する。なお、この実施の形態は、インターネットを利用して、ユーザ登録が承認されたユーザ端末に各種コンテンツへの入口であるポータルサイトを提供するサーバ用コンピュータに本発明を適用した場合であり、コンテンツは特定の業態に関連するものでカテゴリー別にまとめられ、ユーザに対してカテゴリー別に閲覧登録を要求する場合である。
【００１０】
図1は本実施の形態においてポータルサイト提供装置として機能するサーバ用コンピュータ（以下、サーバと称する）１の要部構成を示す機能ブロック図である。インターネット２に接続されたサーバ1は、データ処理部として主にアクセス管理部１１、会員管理部１２、ページ作成部１３、ページ送信部１４及び検索処理部１５を備えている。また、データ処理部が参照するデータを記憶したデータ記憶部として主に会員データベース２１、コンテンツデータベース２３及びカテゴリーデータベース２２を備えている。データ処理部は、サーバ１に実装されたＣＰＵ（Central Processing Unit）等のハードウェアと、コンピュータを当該サーバ１として機能させるためのプログラムとによって実現される。データ記憶部は、コンピュータに実装されるハードディスク，光ディスク，光磁気ディスク等の記憶媒体によって実現される。
【００１１】
会員データベース２１は、当該ポータルサイトに会員登録をした各会員に関するデータを記憶するもので、１会員に対するデータ構造の模式図を図２に示す。図示するように、会員データベース２１には、当該ポータルサイトに会員登録をした各会員に対してそれぞれ割り当てられる会員固有の会員ＩＤに対応して、その会員のパスワード，会員名等の他，その会員の属性である業種を識別するための業種区分が設定されている。また、その会員が閲覧登録をしているカテゴリーの総数と、そのカテゴリーの名称とが記憶されている。ここに、会員データベース２１は、会員情報記憶手段及び会員属性記憶手段を構成する。
【００１２】
コンテンツデータベース２３は、当該ポータルサイトから閲覧可能な各種のコンテンツに関するデータを記憶するもので、１コンテンツに対するデータ構造の模式図を図３に示す。図示するように、コンテンツデータベース２３には、コンテンツの画像データが保存されたＵＲＬと、そのコンテンツ自体の名称と、そのコンテンツが分類されたカテゴリーの名称と、そのコンテンツの内容に関連する業種の業種区分と、そのコンテンツの画像データとが設定されている。なお、業種区分は、当該コンテンツの内容が複数の業種に関連する場合にはそれぞれの業種区分が設定される。ここに、コンテンツデータベース２３はコンテンツ情報記憶手段を構成する。
【００１３】
カテゴリーデータベース２２は、各種コンテンツを分類するカテゴリーに関するデータを記憶するもので、１カテゴリーに対するデータ構造の模式図を図４に示す。図示するように、カテゴリーデータベース２２には、カテゴリーの名称とともに、そのカテゴリーに属するコンテンツが有償なのか無償なのかを識別するフラグ（本実施の形態では“１”を有償とし、“０”を無償とする）が設定されている。
【００１４】
アクセス管理部１１は、インターネット２を介してユーザ端末からアクセスがあったことを検知すると、ページ作成部１３にアクセス有りを通知する。この通知を受けたページ作成部１３は、ユーザ登録に必要な会員ＩＤとパスワードの入力欄を有したログインページを作成する。ページ送信部１４は、ログインページをアクセス元のユーザ端末にインターネット２を通じて送信する。
【００１５】
ここで、ユーザ端末のユーザが当該ポータルサイトの会員であり、ログインページに自身の会員ＩＤとパスワードとを入力してユーザ登録を行なうと、アクセス管理部１１は、会員管理部１２に会員登録有りを通知する。
【００１６】
図５に示すように、ユーザ登録有りの通知を受けた会員管理部１２は（ＳＴ１のＹＥＳ）、会員データベース２１を検索して、ユーザ登録により入力された会員ＩＤに対応して設定されているパスワードを取得し、このパスワードが同ユーザ登録により入力されたパスワードと一致するか否かを調べる（ＳＴ２）。その結果、一致しない場合には入力パスワードを無効と判定し、一致する場合には有効と判定する（ＳＴ３）。そして、入力パスワードを無効と判定した場合にはページ作成部１３にユーザ登録非承認を通知し（ＳＴ４）、有効と判定した場合にはユーザ登録承認を通知する（ＳＴ５）。
【００１７】
ユーザ登録非承認の通知を受けると、ページ作成部１３はログインエラーのコメント（「ログインできません」等）が表示されたログインエラーページを作成する。ページ送信部１４は、ログインエラーページをアクセス元のユーザ端末に送信する。これにより、ユーザ端末のユーザは、ログインに失敗したことがわかる。
【００１８】
これに対し、ユーザ登録承認の通知を受けた場合には、ページ作成部１３はポータルサイト会員用のトップページを作成する。ページ送信部１４は、会員用トップページをアクセス元のユーザ端末に送信する。会員用トップページには、カテゴリーデータベース２２に記憶されたカテゴリー名称のリストが表示されている。また、閲覧登録処理にジャンプするボタンや、検索キーワードの入力欄，業種区分解除フラグの入力欄及び検索ボタン等が表示されている。
【００１９】
ここで、ユーザ端末のユーザである会員が会員用トップページに表示されたカテゴリー群の中からいずれかのカテゴリーを選択すると、アクセス管理部１１は、図７の流れ図に示す処理を開始する。先ず、ユーザ端末でカテゴリーが選択されたことを確認すると（ＳＴ１１のＹＥＳ）、会員データベース２１を検索して、そのユーザ端末でユーザ登録が承認された会員が閲覧登録をしているカテゴリーか否かを判断する（ＳＴ１２）。ここで、閲覧登録していない場合には（ＳＴ１２のＮＯ）、閲覧不許可をページ作成部１３に通知する（ＳＴ１３）。この通知を受けたページ作成部１３は、閲覧登録を会員に要求するコメント（「閲覧登録が必要です」等）が表示された閲覧不許可ページを作成する。ページ送信部１４は、閲覧不許可ページを該当するユーザ端末に送信する。
【００２０】
これに対し、閲覧登録している場合には（ＳＴ１２のＹＥＳ）、閲覧許可をページ作成部１３に通知する（ＳＴ１４）。この通知を受けたページ作成部１３は、コンテンツデータベース２３を参照して当該カテゴリーに属するコンテンツの情報としてＵＲＬ及びコンテンツ画像データの一部を抽出し、そのＵＲＬ及びコンテンツ画像データのコンテンツ情報一覧が表示されたＵＲＬリストページの作成する。ページ送信部１４は、ＵＲＬリストページを該当するユーザ端末に送信する。
【００２１】
ここで、当該会員がＵＲＬリストページに表示されたＵＲＬの中からいずれかのＵＲＬを選択すると、アクセス管理部１１は、図７のＳＴ１５〜ＳＴ１８の処理を実行する。すなわち、ユーザ端末で選択されたＵＲＬを受信すると（ＳＴ１５のＹＥＳ）、そのＵＲＬで特定されるコンテンツのダウンロードをページ作成部１３に通知する（ＳＴ１６）。また、そのＵＲＬで特定されるコンテンツが分類されるカテゴリーが有償カテゴリーなのか無償カテゴリーなのかを判定する（ＳＴ１７）。ここで、当該コンテンツのカテゴリーに対応する有償/無償フラグが“１”であり有償カテゴリーの場合には、当該会員に対して課金処理を行なう（ＳＴ１８）。有償/無償フラグが“０”であり無償カテゴリーの場合には、課金処理は実行しない。
【００２２】
コンテンツダウンロードの通知を受けたページ作成部１３は、コンテンツデータベース２３から当該ＵＲＬのコンテンツ画像データを読出し、ページ送信部１４を介して該当するユーザ端末にダウンロードする。これにより、当該会員は、閲覧登録をしているカテゴリーに属するコンテンツを閲覧することができる。
【００２３】
なお、閲覧登録をしていないカテゴリーについては、閲覧登録を行なうことにより、閲覧が可能となる。閲覧登録は、会員用トップページから行なう。すなわち会員は、トップページから閲覧登録処理にジャンプするボタンを操作すると、アクセス管理部１１は、ページ作成部１３に閲覧登録要求を通知する。この通知を受けたページ作成部１３は、カテゴリーデータベース２２に登録されている全カテゴリーの閲覧登録ページを作成する。このとき、会員データベース２１を検索して当該会員が閲覧登録を済ませているカテゴリーを判断し、そのカテゴリーについては閲覧登録ができない状態としてもよい。ページ送信部１４は、閲覧登録ページを閲覧登録ボタンが操作されたユーザ端末にインターネット２を通じて送信する。
【００２４】
ここで、当該会員が閲覧登録をするカテゴリーを指定すると、アクセス管理部１１は、会員管理部１２に閲覧登録が指定されたカテゴリーを通知する。この通知を受けた会員管理部１２は、図６に示すように、閲覧登録が指定されたカテゴリーを確認すると（ＳＴ２１のＹＥＳ）、会員データベース２１の当該会員データに閲覧登録が指定されたカテゴリーが登録済でないか否かを判断する（ＳＴ２２）。登録済でない場合には（ＳＴ２２のＹＥＳ）、会員データベース２１の当該会員データに、閲覧登録が指定されたカテゴリーを追加する（ＳＴ２３）。また、当該会員データの閲覧登録カテゴリー数Ｎを＋１する（ＳＴ２４）。しかる後、会員管理部１２は、ページ作成部１３に閲覧登録終了を通知する（ＳＴ２５）。
【００２５】
この通知を受けたページ作成部１３は、閲覧登録終了のコメント（「閲覧登録が終了しました」等）が表示された登録完了ページを作成する。ページ送信部１４は、登録完了ページを該当するユーザ端末に送信する。
【００２６】
なお、閲覧登録が指定されたカテゴリーが既に登録済であった場合には（ＳＴ２２のＮＯ）、会員管理部１２は、ページ作成部１３に閲覧登録済エラーを通知する（ＳＴ２６）。この通知を受けたページ作成部１３は、閲覧登録済エラーのコメント（「既に閲覧登録されています」等）が表示された登録エラーページを作成する。ページ送信部１４は、登録エラーページを該当するユーザ端末に送信する。
【００２７】
ところで、ユーザ登録が承認されたユーザ端末に送信される会員用トップページからは、コンテンツのキーワード検索も可能である。キーワード検索を行なうユーザは、会員用トップページの検索キーワード入力欄に所望するキーワードを入力する。また、コンテンツの検索範囲として、会員自身に設定された業種区分内のコンテンツに絞るか否かを決める。デフォルトとして検索範囲を絞る設定になっており、絞らない場合には業種区分解除フラグをセットする。逆に、検索範囲を絞らない設定がデフォルトになっており、絞る場合に業種区分解除フラグをセットしてもよい。しかる後、ユーザは検索ボタンを操作する。
【００２８】
すると、アクセス管理部１１は、検索処理部１５に対し、ユーザ端末で入力された検索キーワードと業種区分解除フラグを、そのユーザ端末でユーザ登録が承認された会員の会員ＩＤとともに通知する。この通知を受けて、検索処理部１５は図８の流れ図に示す処理を開始する。
【００２９】
先ず、検索処理部１５は、ＳＴ３１として通知を受けた業種区分フラグの状態からコンテンツ検索範囲として業種区分内とするか否かを判断する。そして、業種区分内とする場合には、ＳＴ３２として会員データベース２１を検索して、通知を受けた会員ＩＤに対応して設定されている業種区分を取得する（会員属性取得手段）。業種区分外とする場合には、ＳＴ３３として全ての業種区分を有効とするデータ「ＡＬＬ」を当該会員の業種区分として取得する。
【００３０】
次に、検索処理部１５は、ＳＴ３４としてコンテンツデータベース２３を検索して、通知を受けた検索キーワードに該当するコンテンツ，つまりはデータにキーワードの一部又はキーワード全てと一致するワードが存在するコンテンツを検索する（コンテンツ検索手段）。そして、ＳＴ３５として該当するコンテンツが見つかる毎に、検索処理部１５は、ＳＴ３６としてそのコンテンツの業種区分が当該会員の業種区分と一致するか否かを判断する。ここで、一致する場合、若しくは当該会員の業種区分がデータ「ＡＬＬ」であった場合には、検索処理部１５は、ＳＴ３７として該当コンテンツのカテゴリーを取得する（カテゴリー取得手段）。そして、ＳＴ３８としてカテゴリーデータベース２２を検索して、当該カテゴリーが有償コンテンツのカテゴリーなのか無償コンテンツのカテゴリーなのかを判断する（閲覧料金区分取得手段）。無償コンテンツのカテゴリーの場合には、検索処理部１５は、ＳＴ３９として図９（ａ）に示すデータ構造の検索情報パターンＡを作成する。すなわち、該当コンテンツのＵＲＬ及びコンテンツ画像データの一部と、カテゴリーと、無償カテゴリーに属するコンテンツであることを示す情報「無償」と、所定のメッセージ「このコンテンツは無償カテゴリーに属するコンテンツです。ご自由にご覧下さい」とからなる検索情報パターンを作成する。
【００３１】
ＳＴ３８にて当該カテゴリーが有償コンテンツのカテゴリーであった場合には、検索処理部１５は、ＳＴ４０として会員データベース２１を検索して、当該カテゴリーは会員が閲覧登録済か否かを判断する（閲覧登録有無判断手段）。会員データベース２１の該当会員ＩＤに対応する閲覧登録カテゴリー群の中に当該カテゴリーが存在する場合には閲覧登録済と判断し、検索処理部１５は、ＳＴ４１として図９（ｂ）に示すデータ構造の検索情報パターンＢを作成する。すなわち、該当コンテンツのＵＲＬ及びコンテンツ画像データの一部と、カテゴリーと、有償カテゴリーに属するコンテンツであることを示す情報「有償」と、閲覧登録済であることを示す情報「登録済」と、所定のメッセージ「このコンテンツは会員様が閲覧登録済のカテゴリーに属するコンテンツです。どうぞご覧下さい」とからなる検索情報パターンを作成する。
【００３２】
一方、ＳＴ４０にて閲覧登録済でないと判断した場合には、検索処理部１５は、ＳＴ４２として図９（ｃ）に示すデータ構造の検索情報パターンＣを作成する。すなわち、該当コンテンツのＵＲＬ及びコンテンツ画像データの一部と、カテゴリーと、有償カテゴリーに属するコンテンツであることを示す情報「有償」と、閲覧登録されていないことを示す情報「未登録」と、所定のメッセージ「このコンテンツは有償カテゴリーに属するコンテンツです。閲覧登録をして下さい」とからなる検索情報パターンを作成する。
【００３３】
その後、ＳＴ４３としてコンテンツデータベース２３の検索終了を判断すると、検索処理部１５は、ＳＴ４４として作成した検索情報パターンのデータをページ作成部１３に転送して検索結果ページの出力を指令する。この指令を受けて、ページ作成部１３は、検索情報パターンのデータ一覧が表示された検索結果ページを作成する。ページ送信部１４は、検索結果ページを該当する検索キーワードが入力されたユーザ端末に送信する（検索結果提供手段）。これにより、会員はキーワード検索の結果を知ることができる。
【００３４】
このように本実施の形態においては、ユーザ登録が承認されたユーザ（会員）が、ユーザ端末を操作してコンテンツのキーワード検索を実施した場合、キーワードに該当するコンテンツの情報としてＵＲＬ及びコンテンツ画像データの一部とともに、そのコンテンツが属するカテゴリーが提供されるので、ユーザは、キーワード検索で見つかったコンテンツが属するカテゴリーを容易に知ることができる。
【００３５】
また、そのカテゴリーが有償コンテンツのカテゴリーなのか無償コンテンツのカテゴリーなのかを識別可能な情報が併せて提供されるので、ユーザは、キーワード検索で見つかったコンテンツが属するカテゴリーが有償なのか無償なのかも容易に知ることができる。
【００３６】
さらに、そのカテゴリーを当該ユーザが閲覧登録しているか否かの情報も併せて提供されるので、ユーザは、キーワード検索で見つかったコンテンツが属するカテゴリーの閲覧登録が必要か否かも容易に知ることができる。
【００３７】
また、本実施の形態では、キーワード検索を実施する際にユーザが予め設定した業種区分の範囲内でコンテンツを検索するようにしている。例えば、サーバ１が流通業に関連するコンテンツを集めたポータルサイトを提供する装置であったとする。この場合、会員の業種区分としては量販店，飲食店，専門店等に分類され、各会員は、会員登録時に自身の業種区分を設定することになる。これにより、例えば量販店の会員がキーワード検索をした場合には、量販店に関連するコンテンツのなかからキーワードに該当するコンテンツが検出され、ユーザ端末に提供されるので、ユーザは所望するＵＲＬを簡単に見つけ出せるようになる。しかも、本実施の形態では、キーワード検索を実施する際に業種区分内のキーワード検索を解除する指令がユーザ端末から与えられると、全ての業種区分のコンテンツが検索されるようにしたので、検索範囲を広げることも簡単に対処できる。
【００３８】
なお、前記実施の形態では、カテゴリー単位に有償／無償を設定したが、コンテンツ単位に有償／無償を設定し、キーワード検索において、コンテンツ毎に有償コンテンツなのか無償コンテンツなのかを識別可能な情報を提供してもよい。
【図面の簡単な説明】
【００３９】
【図１】本発明の一実施の形態においてポータルサイト提供装置として機能するサーバの要部構成を示すブロック図。
【図２】同サーバが有する会員データベースのデータ構造を示す模式図。
【図３】同サーバが有するカテゴリーデータベースのデータ構造を示す模式図。
【図４】同サーバが有するコンテンツデータベースのデータ構造を示す模式図。
【図５】同サーバが有する会員管理部のユーザ登録時の主要な処理手順を示す流れ図。
【図６】同会員管理部の閲覧登録時の主要な処理手順を示す流れ図。
【図７】同サーバが有するアクセス管理部の主要な処理手順を示す流れ図。
【図８】同サーバが有する検索処理部の主要な処理手順を示す流れ図。
【図９】同検索処理部において作成される検索情報パターンのデータ構造を示す模式図。
【符号の説明】
【００４０】
１…ポータルサイト提供装置（サーバ）、２…インターネット、１１…アクセス管理部、１２…会員管理部、１３…ページ作成部、１４…ページ送信部、１５…検索処理部、２１…会員データベース、２２…カテゴリーデータベース、２３…コンテンツデータベース。
【図１】
2006286014.tif 000003
【図２】
2006286014.tif 000004
【図３】
2006286014.tif 000005
【図４】
2006286014.tif 000006
【図５】
2006286014.tif 000007
【図６】
2006286014.tif 000008
【図７】
2006286014.tif 000009
【図８】
2006286014.tif 000010
【図９】
2006286014.tif 000011